(57)【要約】【課題】構造が簡素であり、ベッド下空間の通気性が良好であり、清掃も容易なベッドを提供する。【解決手段】ベッド１００は、複数のサイドフレーム１１，１２と、ヘッドボード１３と、フットボード１４と、サイドフレーム１１，１２の長手方向Ｌに離れた複数の位置に起立状に配置された平板状の支持板１５，１６と、を備えたベッド基台１０と、ベッド基台１０上に配置される一部が通気性を有する床部材２０と、支持板１５とヘッドボード１３との間に形成される空間並びに他方の支持板１６とフットボード１４との間に形成される空間に対し、一方のサイドフレーム１１側からそれぞれ出し入れ可能に収容される抽斗状構造体３０，４０と、を備えている。【選択図】図３
2018015070.tif 000002
【特許請求の範囲】
【請求項１】
所定距離を隔てて対向配置された複数のサイドフレームと、
前記サイドフレームの一方の端部同士を連結するヘッドボードと、
前記サイドフレームの他方の端部同士を連結するフットボードと、
前記サイドフレームとベッド設置面との間において前記サイドフレームの長手方向に離れた複数の位置に起立状に配置された支持板と、を備えたベッド基台と、
前記ベッド基台上に配置される、少なくとも一部が通気性を有する床部材と、
一方の前記支持板と前記ヘッドボードとの間に形成される空間並びに他方の前記支持板と前記フットボードとの間に形成される空間に対し、一方の前記サイドフレーム側から出し入れ可能に収容される抽斗状構造体と、を備えたベッド。
【請求項２】
前記抽斗状構造体が出し入れされる側の反対側に位置する前記サイドフレームが、前記ベッド基台の側面を閉塞する平板状サイドフレームである請求項１記載のベッド。
【請求項３】
前記ヘッドボード若しくは前記平板状サイドフレームに配線用の開口部を設けた請求項２記載のベッド。
【請求項４】
一方の前記抽斗状構造体がテーブル状部材を有し、他方の前記抽斗状構造体が隔壁部材で区画された複数の物品収納部を有する請求項１〜３のいずれかの項に記載のベッド。
【請求項５】
少なくとも一方の前記支持板に配線用の切欠部を設けた請求項１〜３のいずれか項に記載のベッド。
【請求項６】
前記ヘッドボードにおいて前記床部材より高い領域に電気スイッチ取付用の開口部若しくは電源コンセント取付用の開口部の少なくとも一方を設けた請求項１〜５のいずれかの項に記載のベッド。
【発明の詳細な説明】
【技術分野】
【０００１】
本発明は、ベッドを床面に設置したとき、ベッドと設置面との間に形成される空間を有効利用することができるベッドに関する。
【背景技術】
【０００２】
ベッドとその設置面との間に形成される空間を有効利用するため、従来、様々なアイデアが提案されているが、本発明に関連するものとして、例えば、特許文献１に記載された「ベッドフレーム」、特許文献２に記載された「ベッド装置」、特許文献３に記載された「ベッド下用収納庫」、特許文献４に記載された「ベッド装置」並びに特許文献５に記載された「ベッド下の収納用ボックス」などがある。
【０００３】
特許文献１〜５に記載されているベッドにおいては、ベッドとその設置面との間に形成される空間内に収納用箱体やテーブル状部材が収容され、これらの収納用箱体などはベッドの側面部分から抽斗状に出し入れ可能となっている。
【先行技術文献】
【特許文献】
【０００４】
【特許文献１】特開２００１−２５４９８０号公報
【特許文献２】特開２００６−２３０７５０号公報
【特許文献３】特開２００４−２６１４５４号公報
【特許文献４】特開２００２−２４８０３０号公報
【特許文献５】特開平７−２３６５４９号公報
【発明の概要】
【発明が解決しようとする課題】
【０００５】
特許文献１〜５に記載されているベッドは、ベッドとその設置面との間に形成される空間（以下、「ベッド下空間」と称することがある。）を利用して物品を収納することができる点において優れているが下記のような問題点がある。
【０００６】
（１）ベッド下空間全体が収納用箱体などで閉塞された状態になるので、ベッド下空間の通気性が悪くなり、湿気が滞留し易い。
（２）ベッド下空間に収容される収納用箱体などが容易に出し入れできるようにするためには、ベッドの自重が収納用箱体などに加わらないような構造にする必要があるが、その結果、構造の複雑化、構成部材点数の増加を招いている。
（３）構造が複雑化すると、清掃が困難となる。
【０００７】
そこで、本発明が解決しようとする課題は、構造が簡素であり、ベッド下空間の通気性が良好であり、清掃も容易なベッドを提供することにある。
【課題を解決するための手段】
【０００８】
本発明のベッドは、
所定距離を隔てて対向配置された複数のサイドフレームと、
前記サイドフレームの一方の端部同士を連結するヘッドボードと、
前記サイドフレームの他方の端部同士を連結するフットボードと、
前記サイドフレームとベッド設置面との間において前記サイドフレームの長手方向に離れた複数の位置に起立状に配置された支持板と、を備えたベッド基台と、
前記ベッド基台上に配置される、少なくとも一部が通気性を有する床部材と、
一方の前記支持板と前記ヘッドボードとの間に形成される空間並びに他方の前記支持板と前記フットボードとの間に形成される空間に対し、一方の前記サイドフレーム側から大入れ可能に収容される抽斗状構造体と、を備えたことを特徴とする。
【０００９】
ここで、前記ベッドにおいては、前記抽斗状構造体が出し入れされる側の反対側に位置する前記サイドフレームを、前記ベッド基台の側面を閉塞する平板状サイドフレームとすることができる。
【００１０】
また、前記ベッドにおいては、前記ヘッドボード若しくは前記平板状サイドフレームに配線用の開口部を設けることができる。
【００１１】
さらに、前記ベッドにおいては、一方の前記抽斗状構造体がテーブル状部材を有し、他方の前記抽斗状構造体が隔壁部材で区画された複数の物品収納部を有するものとすることができる。
【００１２】
また、前記ベッドにおいては、少なくとも一方の前記支持板に配線用の切欠部を設けることができる。
【００１３】
一方、前記ベッドにおいては、前記ヘッドボードの前記床部材より高い領域に電気スイッチ取付用の開口部若しくは電源コンセント取付用の開口部の少なくとも一方を設けることができる。
【発明の効果】
【００１４】
本発明により、構造が簡素であり、ベッド下空間の通気性が良好であり、清掃も容易なベッドを提供することができる。
【図面の簡単な説明】
【００１５】
【図１】本発明の実施形態であるベッドをフットボード及び一方のサイドフレーム側から見た一部省略斜視図である。
【図２】図１に示すベッドをヘッドボード及び他方のサイドフレーム側から見た一部省略斜視図である。
【図３】図１に示すベッドの分解斜視図である。
【図４】図１に示すベッドにおいて抽斗状構造体を引き出した状態を示す一部省略斜視図である。
【図５】図１に示すベッドにおいて抽斗状構造体を着脱する状態を示す一部省略斜視図である。
【図６】図５中に示す抽斗状構造体を矢線Ａ方向から見た斜視図である。
【図７】図５中に示す抽斗状構造体を矢線Ｂ方向から見た斜視図である。
【図８】図４に示すベッド基台のヘッドボード及び支持板付近を示す一部拡大斜視図である。
【図９】その他の実施形態であるベッドを示す一部省略斜視図である。
【図１０】図９に示すベッドにおいて抽斗状構造体を引き出した状態を示す一部省略斜視図である。
【図１１】図１０中の矢線Ｃ方向から見た一部省略斜視図である。
【図１２】図１０中に示すベッド基台から床部材及び抽斗状構造体を取り外した状態を示す一部省略斜視図である。
【発明を実施するための形態】
【００１６】
以下、図１〜図１２に基づいて、本発明の実施形態であるベッド１００，２００について説明する。
【００１７】
初めに、図１〜図８に基づいて、ベッド１００について説明する。図１，図２に示すように、ベッド１００においては、複数のサイドフレーム１１，１２と、ヘッドボード１３と、フットボード１４と、支持板１５，１６とにより、平面視形状が長方形のベッド基台１０が形成されている。複数のサイドフレーム１１，１２は所定距離（例えば、約１５００ｍｍ程度）を隔てて対向配置され、サイドフレーム１１，１２の一方の端部１１ａ，１２ａ同士がヘッドボード１３で連結され、サイドフレーム１１，１２の他方の端部１１ｂ，１２ｂ同士がフットボード１４で連結されている。
【００１８】
ヘッドボード１３の表面１３ａには長方形で平板状のクッション材１３ｃが取り付けられている。ヘッドボード１３の床部材２０より高い領域（本実施形態ではヘッドボード１３の一方の側縁部１３ｄと上縁部１３ｅとが交差する角隅部分）には、電気スイッチ取付用の開口部１８及び電源コンセント取付用の開口部１９が貫通状に開設されている。
【００１９】
サイドフレーム１１，１２とベッド設置面Ｆとの間において、サイドフレーム１１，１２の長手方向Ｌに離れた二つの位置に平板状の支持板１５，１６が起立状に配置されている。支持板１５，１６の上縁部１５ａ，１６ａの両端部がそれぞれサイドフレーム１１，１２に接合されている。支持板１５，１６の下縁部１５ｂ，１６ｂはベッド設置面Ｆに当接している。
【００２０】
図１，図２に示すように、ベッド基台１０上には床部材２０が着脱可能に配置されている。床部材２０は、通気性を有する簀の子状のヘッド側部材２１と、平板形状のフット側部材２２と、で構成されている。図３に示すように、ヘッド側部材２１及びフット側部材２２はそれぞれ個別にベッド基台１０上に着脱可能である。ヘッド側部材２１とフット側部材２２とは、支持板１６の上縁部１６ａ（図３参照）上において互いに当接した状態にある。平面視状態におけるヘッド側部材２１とフット側部材２２の面積割合は約２：１程度であるが、これに限定するものではない。
【００２１】
図４に示すように、ヘッドボード１３寄りに配置された一方の支持板１５とヘッドボード１３との間に形成される空間Ｓ１に対し、一方のサイドフレーム１１側から出し入れ可能に抽斗状構造体３０が収容されている。また、フットボード１４寄りに配置された他方の支持板１６とフットボード１４との間に形成される空間Ｓ２に対し、一方のサイドフレーム１１側から出し入れ可能に抽斗状構造体５０が収容されている。
【００２２】
図３，図４に示すように、抽斗状構造体３０，４０が出し入れされる側に位置するサイドフレーム１１はフラットな帯板状の部材である。抽斗状構造体３０，４０が出し入れされる側の反対側に位置するサイドフレーム１２は、ベッド基台１０の側面全体を閉塞する広さを有する平板状部材である。サイドフレーム１２の下縁部１２ｂはベッド設置面Ｆに当接している。図２に示すように、ヘッドボード１３の下方のサイドフレーム１２寄りの部分には配線用の開口部１７が貫通状に開設されている。空間Ｓ１は、開口部１７を介して、ヘッドボード１３の裏面１３ｂ側に連通している。
【００２３】
図５，図６に示すように、抽斗状構造体３０は、空間Ｓ１のサイドフレーム１１側の開口部２１を閉塞可能な表面パネル３１と、表面パネル３１の裏面上部に水平方向に取り付けられたテーブル状部材３２と、テーブル状部材３２の一方の側縁部３２ａ及び後縁部３２ｂにそれぞれに立設された周壁３３，３４と、テーブル状部材３２の上面３２ｃの周壁３４寄りの部分に立設された隔壁３５と、を備えている。
【００２４】
テーブル状部材３２の後縁部３２ｂ寄りの隔壁３５と周壁３４とで挟まれた部分には開口部３６が貫通状に開設されている。隔壁３５には、配線用の開口部３７と電源コンセント取付用の開口部３８が貫通状に開設されている。
【００２５】
テーブル状部材３２の両方の側縁部３２ａ，３２ｄの後縁部３２ｂ寄りの部分には、それぞれローラ３９，３９が回転自在に取り付けられている。側縁部３２ａ，３２ｄのローラ３９，３９よりも表面パネル３１寄りの部分にはそれぞれストッパ４０，４０が突設されている。
【００２６】
図５に示すように、ヘッドボード１３及び支持板１５の空間Ｓ１に臨む面にはそれぞれレール４１，４１が略水平方向に付設されている。レール４１，４１のサイドフレーム１１側の端部にはそれぞれストッパ４２，４２が立設されている。図１に示すように、抽斗状構造体３０が空間Ｓ１内に収容されているとき、ローラ３９，３９はそれぞれレール４１，４１上に乗っており、開口部２１は表面パネル３１によって閉塞されている。
【００２７】
抽斗状構造体３０の表面パネル３１の上縁部に設けられた切欠部３１ａに手先を差し込んで引っ張ると、ローラ３９，３９はそれぞれレール４１，４１上を転動するので、抽斗状構造体３０を空間Ｓ１から引き出すことができる。このとき、テーブル状部材３２のローラ３９，３９の近傍にあるストッパ４０，４０が、レール４１，４１のストッパ４２に当接したところで引き出し不能となり、抽斗状構造体３０はその状態で安定保持される。従って、テーブル状部材３２の上面３２ｃに物品などを置くことが可能であり、抽斗状構造体３０をテーブルとして利用することができる。
【００２８】
また、図６に示すように、隔壁３５には、配線用の開口部３７と電源コンセント取付用の開口部３８が開設され、テーブル状部材３２の後縁部３２ｂ側には開口部３６が開設されているので、これらの開口部３６，３７を利用して電気コードや各種信号ケーブルなどを配線したり、開口部３８に電源コンセント（図示せず）を設けたりすれば、テーブル状部材３２の上面３２ｃにて各種電気製品を使用することができる。
【００２９】
抽斗状構造体３０の使用が終わったら、空間Ｓ１に向かって表面パネル３１を手で押し込めば、ローラ３９，３９がそれぞれレール４１，４１上を転動していき、抽斗状構造体３０を空間Ｓ１の内部へ収容することができる。
【００３０】
なお、図４に示すように、空間Ｓ１から引き出した状態にある抽斗状構造体３０の周壁３４部分を持ち上げ、ローラ３９，３９及びストッパ４０，４０がストッパ４１，４１を乗り越えるようにさらに引き出せば、図５に示すように、抽斗状構造体３０を空間Ｓ１から取り出して、ベッド基台１０から離脱させることもできる。
【００３１】
図５，図７に示すように、抽斗状構造体５０は、空間Ｓ２のサイドフレーム１１側の開口部２２を閉塞可能な表面パネル５１と、表面パネル５１の裏面下部に水平方向に取り付けられた底板部材５２と、底板部材５２の一方の側縁部５２ａ及び後縁部５２ｂにそれぞれに立設された周壁５３，５４と、底板部材５２の上面５２ｃの表面パネル５１寄りの部分に立設された隔壁５５と、を備えている。隔壁５５と表面パネル５１との間には隔壁５６が立設されている。底板部材５２の側縁部５２ｅにおいて、隔壁５５から表面パネル５１までの部分には切欠部５２ｄが設けられ、この切欠部５２ｄに嵌め込まれた状態で側壁５７が立設されている。
【００３２】
図７に示すように、底板部材５２の下面の後縁部５２ｂ寄りの二つの角隅部分にはそれぞれキャスタ５８，５８（一方のキャスタ５８は図示せず）が取り付けられている。キャスタ５８，５８はそれぞれベッド設置面Ｆに当接した状態にあり、ベッド設置面Ｆ上を転動可能である。
【００３３】
抽斗状構造体５０の表面パネル５１の上縁部に設けられた切欠部５１ａに手先を差し込んで引っ張ると、キャスタ５８，５８はそれぞれベッド設置面Ｆ上を転動するので、抽斗状構造体５０を空間Ｓ２から引き出すことができる。抽斗状構造体５０において、周壁５３，５４及び隔壁５５で囲まれた部分や、隔壁５５と表面パネル５１との間の部分は、それぞれ物品収納部５９，６０として様々な物品を収納することができる。
【００３４】
なお、図４に示すように、空間Ｓ２から引き出した状態にある抽斗状構造体５０をさらに引き出せば、図５に示すように、抽斗状構造体５０を空間Ｓ２から引っ張り出してベッド基台１０から離脱させることもできる。
【００３５】
図１に示すベッド１００においては、図８に示すように、ヘッドボード１３側に位置する支持板１５のサイドフレーム１２側の側縁部１５ｃの下端部分に配線用の切欠部１５ｅが設けられている。従って、ヘッドボード１３の下方に開設された開口部１７及び切欠部１５ｅに配線コード７０や光ファイバ（図示せず）などを挿通することができる。
【００３６】
本実施形態のベッド１００を設置する場所は、特に限定するものではないが、図２中に示すサイドフレーム１２及びヘッドボード１３の裏面１３ｂ側をそれぞれ室内壁面（図示せず）に近接させて配置することが望ましい。
【００３７】
本実施形態のベッド１００においては、ベッドの自重は、ベッド設置面Ｆに接地した状態にあるヘッドボード１３、フットボード１４及び二つの支持板１５，１６によって支えられているので、抽斗状構造体３０，５０への重量負荷を回避するための支柱や支持部材などが不要であり、構造が簡素である。また、二つの支持板１５，１６の間は空間であり、床部材２０を構成するヘッド側部材２１は簀の子構造であるため、ベッド下空間の通気性が良好である。さらに、抽斗状構造体３０，５０は、空間Ｓ１，Ｓ２から離脱可能であるため、清掃も容易である。
【００３８】
次に、図９〜図１２に基づいて、その他の実施形態であるベッド２００について説明する。なお、ベッド２００の構成部分のうち、前述したベッド１００の構成部分と共通する部分については、図１〜図８中の符号と同符号を付して説明を省略する。
【００３９】
図９〜図１２に示すベッド２００は、図１〜図８に示すベッド１００のサイドフレーム１２と平行な面を対照面として略鏡面対照な構造を備えている。従って、図１に示すベッド１００が、図２中に示すサイドフレーム１２及びヘッドボード１３の裏面１３ｂ側に壁面（図示せず）がある室内に好適に設置することができるのに対し、図９に示すベッド２００は、サイドフレーム１２Ｘ及びヘッドボード１３の裏面側に壁面（図示せず）がある室内に好適に設置することができる。
【００４０】
また、図９，図１２に示すように、ベッド２００においては、サイドフレーム１２Ｘの空間Ｓ１に臨む部分に電気配線用の開口部１７Ｘが開設されている。その他の部分の構造、機能などについては、前述したベッド１００と同様である。
【００４１】
なお、図１〜図１２に基づいて説明したベッド１００，２００は本発明を例示するものであり、本発明のベッドは前述したベッド１００，２００に限定されない。
【産業上の利用可能性】
【００４２】
本発明のベッドは、ビジネスホテル、観光ホテルあるいは一般住宅などに設置される就寝用器具として広く利用することができる。
【符号の説明】
【００４３】
１０  ベッド基台
１１，１２，１２Ｘ  サイドフレーム
１１ａ，１１ｂ  端部
１２ｂ，１５ｂ，１６ｂ  下縁部
１３  ヘッドボード
１３ａ  表面
１３ｂ  裏面
１３ｃ  クッション材
１３ｄ，１５ｃ，３２ａ，３２ｄ，５２ａ，５２ｅ  側縁部
１３ｅ，１５ａ，１６ａ  上縁部
１４  フットボード
１５，１６  支持板
１７，１８，１９，２１，２２，３６，３７，３８  開口部
２０  床部材
２１  ヘッド側部材
２２  フット側部材
３０，５０  抽斗状構造体
３１，５１  表面パネル
１５ｅ，３１，５１，５２ｄ  切欠部
３２  テーブル状部材
３２ｂ，５２ｂ  後縁部
３２ｃ  上面
３３，３４，５３，５４  周壁
３５，５５，５６  隔壁
３９  ローラ
４０，４２  ストッパ
４１  レール
５７  側壁
５９，６０  物品収納部
５２  底板部材
５２ｃ  上面
７０  配線コード
１００，２００  ベッド
Ｆ  ベッド設置面
Ｌ  長手方向
Ｓ１，Ｓ２  空間
【図１】
2018015070.tif 000003
【図２】
2018015070.tif 000004
【図３】
2018015070.tif 000005
【図４】
2018015070.tif 000006
【図５】
2018015070.tif 000007
【図６】
2018015070.tif 000008
【図７】
2018015070.tif 000009
【図８】
2018015070.tif 000010
【図９】
2018015070.tif 000011
【図１０】
2018015070.tif 000012
【図１１】
2018015070.tif 000013
【図１２】
2018015070.tif 000014